(57)【要約】【課題】  ミニトマト等の青果物をバラ詰めして段積み輸送するための段ボール製の青果物包装箱において、バラ詰め時に機械で送り込まれた青果物が仕切板の上端に衝突しても傷つかないようにし、さらに、包装箱の段積み時にかかる大きな荷重や青果物の偏った詰め具合に対しても仕切板が変形したり倒れたりしないようにする。【解決手段】  上方が開放された包装箱１０の対向する内側板１３に差込穴１３ａを開口し、その対向する差込穴１３ａに補強用の仕切板２０の両端を差し込んで内側板１３と同じ高さに取り付ける。仕切板２０は、段ボールを断面コ字状に折り曲げて平坦な上端面を形成した二重構造とする。内側板１３の差込穴１３ａはＶ字状に形成し、仕切板２０の両側端にＶ字状の切欠き２３を形成し、その切欠き２３を前記差込穴１３ａに上方から嵌合して仕切板２０を取り付ける。【選択図】  図４
0003169194.tif 000002
【実用新案登録請求の範囲】
【請求項１】
青果物をバラ詰めして段積み輸送するための段ボール製の青果物包装箱において、上方が開放された包装箱の対向する側板に差込穴を開口し、その対向する差込穴に補強用の仕切板の両端を差し込んで側板と同じ高さに取り付け、しかもその仕切板が、段ボールを断面コ字状に折り曲げて平坦な上端面を形成した二重構造であることを特徴とする、青果物包装箱の中仕切り構造。
【請求項２】
側板が、段ボールを断面コ字状に折り曲げた二重構造で、その二重構造の側板の内側板に差込穴をＶ字状に形成し、仕切板の両側端にＶ字状の切欠きを形成し、その切欠きを前記差込穴に上方から嵌合して仕切板を取り付けた、請求項１記載の青果物包装箱の中仕切り構造。
【考案の詳細な説明】
【技術分野】
【０００１】
本考案は、ミニトマト等の青果物をバラ詰めして段積み輸送するための青果物包装箱に関する。
【背景技術】
【０００２】
従来、輸送用の包装箱にミニトマトをバラ詰めする際、機械で連続的に落下させながら送り込んでいる。その包装箱には段積み時の補強用として仕切板が設けられている。
【０００３】
ところで、ミニトマトが包装箱に落下した際、仕切板の上端に衝突することがある。従来の仕切板の上端は段ボールの切断面が露出しているから、その鋭利な形状でミニトマトが傷つくことがあった。また、段ボールの切断面は変形しやすいから、段積み時の荷重によっては仕切板が耐えられずに包装箱の強度が低下することがあった。さらに、従来の仕切板はＬ字状に折り曲げた構造が一般的であるから、ミニトマトが偏ってバラ詰めされると倒れることがあった。
【先行技術文献】
【特許文献】
【０００４】
【特許文献１】実用新案登録第３０３８３８３号公報
【考案の概要】
【考案が解決しようとする課題】
【０００５】
本考案が解決しようとする第１の課題は、バラ詰め時に機械で送り込まれた青果物が仕切板の上端に衝突しても傷つかないようにすることにある。第２の課題は、包装箱の段積み時にかかる大きな荷重や青果物の偏った詰め具合に対しても仕切板が変形したり倒れたりしないようにすることにある。
【課題を解決するための手段】
【０００６】
かかる課題を解決した本考案の構成は、
１）  青果物をバラ詰めして段積み輸送するための段ボール製の青果物包装箱において、上方が開放された包装箱の対向する側板に差込穴を開口し、その対向する差込穴に補強用の仕切板の両端を差し込んで側板と同じ高さに取り付け、しかもその仕切板が、段ボールを断面コ字状に折り曲げて平坦な上端面を形成した二重構造であることを特徴とする、青果物包装箱の中仕切り構造
２）  側板が、段ボールを断面コ字状に折り曲げた二重構造で、その二重構造の側板の内側板に差込穴をＶ字状に形成し、仕切板の両側端にＶ字状の切欠きを形成し、その切欠きを前記差込穴に上方から嵌合して仕切板を取り付けた、前記１）記載の青果物包装箱の中仕切り構造。
にある。
【考案の効果】
【０００７】
本考案の前記１）記載の構成によれば、仕切板の折り目の角部は段ボールがつぶれて丸く形成されるから、機械で送り込まれた青果物が仕切板の上端に衝突しても傷つきにくくなり、青果物の品質を保持できる。また、青果物がバラ詰めされた包装箱を段積みして荷重されても、仕切板の平坦な上端面で支持されるから、仕切板が変形しにくくなって包装箱の強度を維持できる。さらに、仕切板はその両端が差込穴に差し込まれているから、送り込まれた青果物が偏ってバラ詰めされても倒れることがない。
【０００８】
本考案の前記２）記載の構成によれば、上方から荷重されるほど内側板の差込穴と仕切板の切欠きが互いに密接して強固に噛み合い、包装箱と仕切板の強度がさらに向上する。
【図面の簡単な説明】
【０００９】
【図１】実施例の包装箱の展開図である。
【図２】実施例の仕切板の展開図である。
【図３】実施例の仕切板の取り付けを示す説明図である。
【図４】実施例の包装箱の斜視図である。
【図５】実施例の仕切板の断面とその取り付け状態を示す説明図である。
【考案を実施するための形態】
【００１０】
以下、本考案を実施するための形態を実施例と図面に基づいて具体的に説明する。
【実施例】
【００１１】
図１は実施例の包装箱の展開図、図２は実施例の仕切板の展開図、図３は実施例の仕切板の取り付けを示す説明図、図４は実施例の包装箱の斜視図、図５は実施例の仕切板の断面とその取り付け状態を示す説明図である。
【００１２】
図中、１０は包装箱、１１は底板、１２は外側板、１３は内側板、１３ａは差込穴、１４は上端板、１４ａは差込穴、１５は側板、１６は被せ板、１６ａは差込片、１７，１８は折込板、２０は仕切板、２１は側板、２２は上端板、２３は切欠きである。
【００１３】
本実施例の包装箱１０は両面段ボール製で、図１に示すように、底板１１の上下に外側板１２と内側板１３と上端板１４を連設し、外側板１２と内側板１３に折込片１７，１８を形成している。内側板１３の中央には上端板１４と連通するＶ字状の差込穴１３ａを開口し、上端板１４の左右に細長の差込穴１４ａを開口している。底板１１の左右には側板１５と被せ板１６を連設し、その被せ板１６の両端に差込穴１４ａに差し込むための差込片１６ａを形成している。
【００１４】
仕切板２０は両面段ボール製で、図２に示すように、上端板２２の上下に側板２１を形成し、その上下の側板２１の両側端に内側板１３の差込穴１３ａに嵌合するためのＶ字状の切欠き２３を形成している。なお、図１，２において、破線は折り曲げ線を示している。
【００１５】
本実施例では、底板１１を底面にして外側板１２と側板１５を折り上げ、内側板１３を内側へ折り畳むとともに折込板１７，１８を内側へ折り込み、被せ板１６を折込板１７と上端板１４に折り被せ、差込片１６ａを折り下げて差込穴１４ａに差し込む。さらに、仕切板２０の上端板２２を平面にして側板２１を折り下げ、図３に示すように、その切欠き２３を差込穴１３ａに上方から嵌合して取り付け、図４に示す包装箱１０を組み立てる。
【００１６】
図５に示すように、仕切板２０の断面は上端板２２によって断面コ字状となっており、その折り目の角部は段ボールがつぶれて丸く形成されている。これにより、機械で送り込まれたミニトマトが仕切板２０の上端に衝突しても傷つきにくくなっており、ミニトマトの品質を保持できる。また、ミニトマトがバラ詰めされた包装箱１０を段積みして荷重されても、仕切板２０の平坦な上端板２２で支持されるから、仕切板２０が変形しにくくなって包装箱１０の強度を維持できる。さらに、仕切板２０はその両端が差込穴１３ａに差し込まれているから、送り込まれたミニトマトが偏ってバラ詰めされても倒れることがない。
【００１７】
特に、内側板１３のＶ字状の差込穴１３ａと仕切板２０のＶ字状の切欠き２３を嵌合させるから、上方から荷重されるほど互いが密接して強固に噛み合い、包装箱１０と仕切板２０の強度がさらに向上する。
【産業上の利用可能性】
【００１８】
本考案の技術は、ミニトマト等の表面が傷つきやすい野菜や果物のバラ詰めに利用される。
【符号の説明】
【００１９】
１０  包装箱
１１  底板
１２  外側板
１３  内側板
１３ａ  差込穴
１４  上端板
１４ａ  差込穴
１５  側板
１６  被せ板
１６ａ  差込片
１７，１８  折込板
２０  仕切板
２１  側板
２２  上端板
２３  切欠き
【図１】
0003169194.tif 000003
【図２】
0003169194.tif 000004
【図３】
0003169194.tif 000005
【図４】
0003169194.tif 000006
【図５】
0003169194.tif 000007